(57)【要約】【課題】  現在位置よりも電波環境が良くなるエリアの情報を提供する。【解決手段】  本発明の電波環境情報サービスシステムは、携帯端末1-1〜1-5、1-11〜1-15による受信品質情報と携帯端末1-1〜1-5、1-11〜1-15の位置情報を、基地局2-1,2-2を介して基地局とネットワークを介してリンクしている電波環境サーバー３のデータベースに記録し、携帯端末1-1〜1-5、1-11〜1-15から電波環境サーバー３のデータベースにアクセスすることにより、電波環境サーバー３から携帯端末1-1〜1-5、1-11〜1-15に電波環境情報４を提供し、携帯端末1-1〜1-5、1-11〜1-15のディスプレイ上に電波環境情報４に基づいて電波環境のよいエリアの画像情報を表示させるようにしたものである。【選択図】        図１ 
2005223633.tif 000002
【特許請求の範囲】
【請求項１】
携帯端末の電波環境情報を管理して要求に応じて電波環境情報を提供する電波環境情報サービスシステムにおいて、
上記携帯端末による受信品質情報と上記携帯端末の位置情報を、基地局を介して上記基地局とネットワークを介してリンクしている電波環境サーバーのデータベースに記録し、
上記携帯端末から上記電波環境サーバーのデータベースにアクセスすることにより、上記電波環境サーバーから上記携帯端末に電波環境情報を提供し、
上記携帯端末のディスプレイ上に上記電波環境情報に基づいて電波環境のよいエリアの画像情報を表示させるようにした
ことを特徴とする電波環境情報サービスシステム。
【請求項２】
請求項１記載の電波環境情報サービスシステムにおいて、
上記基地局とリンクしている上記電波環境情報サーバーで複数の携帯端末や基地局からのデータをリアルタイムで更新しながら統計処理を行うことを特徴とする電波環境情報サービスシステム。
【請求項３】
電波環境情報を管理して要求に応じて電波環境情報を提供する電波環境情報サービスシステムに用いる携帯端末装置において、
受信品質情報と位置情報を、基地局を介して上記基地局とネットワークを介してリンクしている電波環境サーバーのデータベースに記録するように送信し、
上記電波環境サーバーのデータベースにアクセスすることにより、上記電波環境サーバーから電波環境情報を受信し、
ディスプレイ上に上記電波環境情報に基づいて電波環境のよいエリアの画像情報を表示させるようにした
ことを特徴とする携帯端末装置。
【請求項４】
請求項３記載の携帯端末装置において、
上記基地局とリンクしている上記電波環境情報サーバーで複数の携帯端末や基地局からのデータをリアルタイムで更新しながら統計処理を行うことを特徴とする携帯端末装置。
【請求項５】
携帯端末の電波環境情報を管理して要求に応じて電波環境情報を提供する電波環境情報サービスシステムに用いる電波環境サーバー装置において、
上記携帯端末による受信品質情報と上記携帯端末の位置情報を、基地局を介して上記基地局とネットワークを介してリンクしているデータベースに記録し、
上記携帯端末から上記データベースにアクセスすることにより、上記携帯端末に電波環境情報を提供し、
上記携帯端末のディスプレイ上に上記電波環境情報に基づいて電波環境のよいエリアの画像情報を表示させるようにした
ことを特徴とする電波環境サーバー装置。
【請求項６】
請求項５記載の電波環境サーバー装置において、
複数の携帯端末や基地局からのデータをリアルタイムで更新しながら統計処理を行うことを特徴とする電波環境サーバー装置。
【請求項７】
携帯端末の電波環境情報を管理して要求に応じて電波環境情報を提供する電波環境情報サービス方法において、
上記携帯端末による受信品質情報と上記携帯端末の位置情報を、基地局を介して上記基地局とネットワークを介してリンクしている電波環境サーバーのデータベースに記録するステップと、
上記携帯端末から上記電波環境サーバーのデータベースにアクセスすることにより、上記電波環境サーバーから上記携帯端末に電波環境情報を提供するステップと、
上記携帯端末のディスプレイ上に上記電波環境情報に基づいて電波環境のよいエリアの画像情報を表示させるステップとを備えた
ことを特徴とする電波環境情報サービス方法。
【請求項８】
請求項７記載の電波環境情報サービス方法において、
上記基地局とリンクしている上記電波環境情報サーバーで複数の携帯端末や基地局からのデータをリアルタイムで更新しながら統計処理を行うことを特徴とする電波環境情報サービス方法。
【発明の詳細な説明】
【技術分野】
【０００１】
本発明は、電波環境のよいエリアの情報を表示させる電波環境情報サービスシステム、携帯端末装置、電波環境サーバー装置及び電波環境情報サービス方法に関する。
【背景技術】
【０００２】
従来、携帯端末は現在位置での電波環境の良し悪しを知ることができたが、何処へ行けば現在位置よりも電波環境が良くなるということを知ることができなかった。また、携帯電話のキャリア情報が公表している通信可能地域内における通信不可能地域を判別できるナビゲーション装置について特許文献１に開示されていた。
【０００３】
【特許文献１】特開2000-295652号公報
【発明の開示】
【発明が解決しようとする課題】
【０００４】
しかし、上述した特許文献１では、通信不可能地域のみを示すものであり、現在位置よりも電波環境が良くなるエリアを知ることができるというものではなかったという不都合があった。
【０００５】
本発明は、現在位置よりも電波環境が良くなるエリアの情報を提供する電波環境情報サービスシステム、携帯端末装置、電波環境サーバー装置及び電波環境情報サービス方法を提供することを課題とする。
【課題を解決するための手段】
【０００６】
上記課題を解決し、本発明の目的を達成するため、本発明の電波環境情報サービスシステムは、携帯端末による受信品質情報と携帯端末の位置情報を、基地局を介して基地局とネットワークを介してリンクしている電波環境サーバーのデータベースに記録し、携帯端末から電波環境サーバーのデータベースにアクセスすることにより、電波環境サーバーから携帯端末に電波環境情報を提供し、携帯端末のディスプレイ上に電波環境情報に基づいて電波環境のよいエリアの画像情報を表示させるようにしたものである。
【０００７】
これにより、基地局とネットワークを介してリンクしている電波環境サーバーがデータベースに携帯端末による受信品質情報と携帯端末の位置情報を記録するため、広い範囲での電波環境を把握することができる。
【０００８】
また、本発明の携帯端末装置は、受信品質情報と位置情報を、基地局を介して基地局とネットワークを介してリンクしている電波環境サーバーのデータベースに記録するように送信し、電波環境サーバーのデータベースにアクセスすることにより、電波環境サーバーから電波環境情報を受信し、ディスプレイ上に電波環境情報に基づいて電波環境のよいエリアの画像情報を表示させるようにしたものである。
【０００９】
これにより、基地局とリンクしている電波環境情報サーバーで携帯端末による受信品質情報と携帯端末の位置情報の統計処理を行うため、本発明を行うための携帯端末への負荷を少なくすることができる。
【００１０】
また、本発明の電波環境サーバー装置は、携帯端末による受信品質情報と携帯端末の位置情報を、基地局を介して基地局とネットワークを介してリンクしているデータベースに記録し、携帯端末からデータベースにアクセスすることにより、携帯端末に電波環境情報を提供し、携帯端末のディスプレイ上に電波環境情報に基づいて電波環境のよいエリアの画像情報を表示させるようにしたものである。
【００１１】
これにより、電波環境情報サーバーは、基地局から報告されてくる携帯端末による受信品質情報と携帯端末の位置情報を受信するだけでよいため、本発明を行うための電波環境情報サーバーは基地局に対して負荷を少なくすることができる。
【００１２】
また、本発明の電波環境情報サービス方法は、携帯端末による受信品質情報と携帯端末の位置情報を、基地局を介して基地局とネットワークを介してリンクしている電波環境サーバーのデータベースに記録するステップと、携帯端末から電波環境サーバーのデータベースにアクセスすることにより、電波環境サーバーから携帯端末に電波環境情報を提供するステップと、携帯端末のディスプレイ上に電波環境情報に基づいて電波環境のよいエリアの画像情報を表示させるステップとを備えたものである。
【００１３】
これにより、基地局とネットワークを介してリンクしている電波環境サーバーがデータベースに携帯端末による受信品質情報と携帯端末の位置情報を記録するため、広い範囲での電波環境を把握することができる。
【発明の効果】
【００１４】
本発明によれば、基地局が保持しているデータベースとリンクしている電波環境サーバーのネットワーク上のアドレスに携帯端末からアクセスするだけで、携帯端末の現在位置での電波環境よりもよりよいエリアを知ることができ、通話品質の向上を図ることができる。
【００１５】
さらに、電波環境のより良いエリアを知ることができるため、例えば高速データ通信を行いたい場合に最適のエリアを探してそのエリアへ行くことができる。
【００１６】
また、携帯端末から電波環境サーバーのネットワーク上のアドレスに接続した後は、ディスプレイ上に表示させたい地図情報の例えば縮尺サイズだけを選択すればよいだけなので、ユーザーへの負担がなく、気軽にサービスを利用することができる。この場合、地図情報の例えばビルや地理による電波環境状況を把握することもできる。
【発明を実施するための最良の形態】
【００１７】
以下に、本発明を実施するための形態について、適宜図面を参照しながら説明する。
まず、電波環境情報サービスシステムの説明をする。
この電波環境情報サービスシステムは、携帯電話機によるSIR(Signal to Interference Ratio), CQI(Channel Quality Indicator)等の受信品質情報とGPS(Global Positioning System)等から取得した位置情報を、基地局を介して基地局とリンクしているサーバーのデータベースに反映させ、携帯端末がそのデータベースにアクセスするだけで電波環境のよいエリアをビジュアル的に携帯ディスプレイ上に表示できるシステムである。
【００１８】
具体的には、携帯電話機により受信品質を測定し、GPS等で得られる位置情報と一緒に基地局に報告する。基地局は報告された情報を電波環境情報管理サーバーに送る。電波環境情報管理サーバーは複数の基地局と接続し、複数の携帯電話機や基地局からの情報を統計処理していく。この結果をデータベースにリアルタイムに格納していく。
【００１９】
電波環境情報管理サーバーはネットワーク上からのアクセスを可能にしておき、携帯電話機より電波環境の良いエリアを知りたい場合にネットワーク上から電波環境情報管理サーバーにアクセスすることでその情報を取得でき、サイトから要求される地図の縮尺を選択するだけで携帯電話機ディスプレイ上に地図情報と共に表示できるシステムである。
【００２０】
まず、本発明の基地局側処理を図1に示す。
携帯電話機1-1〜1-5（エリアＥ1）、携帯電話機1-11〜1-15（エリアＥ2）から基地局2-1,2-2へ現在の携帯電話機の位置情報やSIR, CQI等の受信品質を報告する。基地局2-1,2-2は、報告された情報を電波環境情報管理サーバー3に送る。この処理を複数の携帯電話機や基地局で行い、電波環境情報管理サーバー3にて位置情報と共に受信品質をリアルタイムに統計処理していく。統計処理した結果の例えばリング状の等高線4-2を電波環境情報4のように予め所持している地図情報4-1と関連付けてデータベースに格納していく。
【００２１】
ここでは、リング状の等高線4-2のうち、最も内側の4-2-1が最も電波環境がよいことを示していて、次の4-2-2が次に電波環境がよいことを示していて、その次の4-2-3がその次に電波環境がよいことを示していて、最も外側の4-2-4が最も電波環境が悪いことを示している。このように電波環境の程度に差ができるのは、エリアＥ1の背の高い木T１,Ｔ2や建物B1、B2、B３又はエリアＥ2の背の高い木T11,Ｔ12や建物B11、B12、B13による影響や天候など気象条件による影響のためである。
【００２２】
次に、携帯電話機に提供される電波環境案内システム全体の構成を図2に示す。
携帯電話機21から無線を介して基地局22と接続し、当該基地局22を介して携帯電話機21は公衆回路網23と接続されている。また、携帯電話機21は、公衆回路網23を介してインターネット24に接続されている電波環境情報管理サーバー25と種々のデータ通信を行い得るように構成されている。
【００２３】
本発明の実施の形態の電波環境情報サービスシステムは、上述したように構成され、以下のような動作をする。
次に、本発明の実施の形態の電波環境情報サービスシステムの動作を示すフローチャートの説明をする。
本発明の実施の形態のフローチャートを図3, 4に示す。
まず、図3では図1に関した基地局側処理のフローチャートを示しているものであり、図３Ａは携帯電話機側処理、図３Ｂは基地局側処理、図３Ｃはサイト側処理である。
【００２４】
図３Aに示す携帯電話機側処理において、図2に示した携帯電話機21では、まず受信品質の測定や位置情報の取得を行う(ステップS10)。無線により基地局22と接続し(ステップS11)、測定した受信品質情報や位置情報を送信する(ステップS12)。
【００２５】
図３Ｂに示す基地局側処理において、基地局2-1,2-2は携帯電話機21から報告された受信品質情報や位置情報を受信し(ステップS20)、電波環境情報処理サーバー25に送信する(ステップS21)。
【００２６】
図３Ｃに示すサイト側処理において、電波環境情報処理サーバー25のサイト側では、受信品質情報や位置情報を受信した後(ステップS30)、位置情報をもとに受信品質情報の統計処理をリアルタイムに行う(ステップS31)。そして、電波環境情報処理サーバー25のサイト側は、予め所持している地図情報と関連付け、データベースに格納していく(ステップS32)。
【００２７】
次に、図4では図2に関した携帯電話機に提供される電波環境案内システム全体のフローチャートを示しているものであり、図４Ａは携帯電話機側処理、図４Ｂはサイト側処理である。
まず、図４Ａに示す携帯電話機側処理において、図2に示した携帯電話機21は受信品質の測定や位置情報を取得する(ステップS40)。基地局22にインターネット接続要求データの送信を開始し、公衆回路網23を介してインターネット24に接続を行う。インターネット接続が確立したことを携帯電話機21が確認し、インターネット24を利用して電波環境情報管理サーバー25へ電波環境情報のネットワーク上のアドレスであるWebページを要求する(ステップS41)。
【００２８】
図４Ｂに示すサイト側処理において、電波環境情報処理サーバー25のサイト側では、電波環境情報のネットワーク上のアドレスであるWebページを送信し(ステップS50)、図４Ａに示す携帯電話機側処理において、携帯電話機21は電波環境情報画面をディスプレイに表示する(ステップS42)。電波環境情報処理サーバー25のサイト側で地図サイズをある程度用意しておき、その選択画面を送信することになる。携帯電話機21は、希望の地図サイズを選択し(ステップS43)、選択した地図サイズおよび測定した受信品質情報や位置情報を電波環境情報管理サーバー25へ送信する(ステップS44)。
【００２９】
図４Ｂに示すサイト側処理において、電波環境情報処理サーバー25のサイト側では地図サイズと位置情報から要求されているエリアを選定し(ステップS51)、選定したエリアの中から携帯電話機21により送信されてきた受信品質との比較を行い、受信品質の高い位置を検索する(ステップS53)。検索結果から選定したエリアの中に高い位置が存在するかを条件とし(ステップS55)、高い位置が存在した場合、検索結果から等高線を作り地図上に描画して(ステップS57, 図５)電波環境情報として携帯電話機21に送信し(ステップS58)、サイト側の処理を終了する。
【００３０】
高い位置が存在しなかった場合、サイト側で地図サイズを大きくしエリアの再選定を行い(ステップS54)、再び受信品質の高い位置を検索する(ステップS53)。この操作を受信品質の高い位置が見つかるまで、あるいは地図サイズの上限にあたるまで繰り返し(ステップS52)、それでも存在しなかった場合は“MAX”などの現在の電波環境が最もよいという情報を地図上に描画し(ステップS56, 図６)、携帯電話機21に送信し(ステップS58)サイト側の処理を終了する。
【００３１】
図４Ａに示す携帯電話機側処理において、携帯電話機21は、ディスプレイに電波環境情報を表示(ステップS45)して終了する。
ここで、ステップS57における検索結果から等高線を作り地図上に描画して電波環境情報として携帯電話機21に送信したときの携帯電話機21のディスプレイに表示される画像情報を説明する。図５は電波環境情報として等高線を地図上に表示する例を示す図である。図5において、携帯電話機51のディスプレイ52に通信エリアを示す地図53及び電波環境情報としてリング状の等高線５４が表示される。
【００３２】
ここでは、リング状の等高線54のうち、２つのリング状の等高線が表示されていて、一方の最も内側の54-1が最も電波環境がよいことを示していて、次の54-2が次に電波環境がよいことを示していて、その次の54-3がその次に電波環境がよいことを示していて、最も外側の5４が最も電波環境が悪いことを示している。他方の最も内側の54-11が最も電波環境がよいことを示していて、次の54-12が次に電波環境がよいことを示していて、その次の54-13がその次に電波環境がよいことを示していて、最も外側の5４が最も電波環境が悪いことを示している。
【００３３】
また、ステップS56における “MAX”などの現在の電波環境が最もよいという情報を地図上に描画し、携帯電話機21に送信したときの携帯電話機21のディスプレイに表示される画像情報を説明する。図６は電波環境情報として現在の電波環境が最もよいという情報を地図上に表示する例を示す図である。図6において、携帯電話機61のディスプレイ62に通信エリアを示す地図53及び電波環境情報として“MAX”などの最良電波環境位置６４の情報が地図６３上に表示される。
【００３４】
上述した実施の形態に限らず、発展例として以下が考えられる。
電波環境情報処理サーバー25のサイト側において、送信されてくる受信品質情報や位置情報の他にその携帯電話機21の機種や事業者も考慮することで、機種毎および事業者毎の電波環境情報を表示でき、ユーザーは得られる電波環境情報を機種別電波環境情報か否かを選択することができる。
【００３５】
また、電波環境情報処理サーバー25のサイト側において、統計結果を時間、曜日、季節などと関連付けることで、所望エリアでの時間、曜日、季節による電波環境を知りたい場合に有効となる（例えば、昨年の現在時刻での電波環境など）。
【００３６】
さらに、電波環境情報処理サーバー25のサイト側に携帯による無線接続に限らずパソコンによる接続を行うことで、携帯電話機21の販売ショップでもこのサービスを受けられるようにすれば、携帯電話機21を買う人の自宅付近での電波環境報告のよい機種や事業者を選択できるようになる。
【００３７】
さらにまた、電波環境情報処理サーバー25のサイト側での処理情報例のデータテーブル71を図７に示す。
電波環境情報処理サーバー25のサイト側では、携帯端末21から受け取った情報（メーカー73、機種74、GPSで測位した緯度75・経度76・高さ77、計算した受信品質81）と基地局22からの情報（事業者72、時間（Time）78、年月日（Date）79、基地局ID80）をデータテーブル71として保持しておき、それを用いて位置情報に基づいた統計処理をしていく。ただし、図7では品質81を16進数で表しているが、これに限る必要はなく、事業者72間で統一した品質の表現を用いればよい。
【００３８】
このとき、上述した発展例の機種74別の統計結果を携帯電話機21のディスプレイに表示できるようにすることで、携帯端末メーカーの開発参考資料にもできる。
携帯電話機21の販売ショップでもこのサービスを受けられるようにすれば、携帯電話機21を買う人の自宅付近での電波環境報告のよい機種を選択できるようになる。
【図面の簡単な説明】
【００３９】
【図１】本発明の基地局側処理を示す図である。
【図２】電波環境案内システム全体の構成を示す図である。
【図３】基地局側処理を示すフローチャートであり、図３Ａは携帯電話機側処理、図３Ｂは基地局側処理、図３Ｃはサイト側処理である。
【図４】電波環境案内システム全体の動作を示すフローチャートであり、図４Ａは携帯電話機側処理、図４Ｂはサイト側処理である。
【図５】電波環境情報として等高線を地図上に表示する例を示す図である。
【図６】電波環境情報として現在の電波環境が最もよいという情報を地図上に表示する例を示す図である。
【図７】電波環境情報処理サーバー側での処理情報例のテーブルデータを示す図である。
【符号の説明】
【００４０】
1-1〜1-5（エリアＥ1）、1-11〜1-15（エリアＥ2）…携帯電話機、2-1,2-2…基地局、３…電波環境情報処理サーバー、４…電波環境情報、４-1…地図、4-2…等高線、21…携帯電話機、22…基地局、23…公衆回路網、24…インターネット、25…電波環境情報処理サーバー、51…携帯電話機、52…ディスプレイ、53…地図、54…等高線、61…携帯電話機、62…ディスプレイ、6３…地図、6４…最良電波環境位置、71…データテーブル
【図１】
2005223633.tif 000003
【図２】
2005223633.tif 000004
【図３】
2005223633.tif 000005
【図４】
2005223633.tif 000006
【図５】
2005223633.tif 000007
【図６】
2005223633.tif 000008
【図７】
2005223633.tif 000009